(57)【特許請求の範囲】
【請求項１】
基材と、基材に貼り合わされたオーバーシートとを備えた情報媒体であって、
オーバーシートの一方の面に、情報を有する情報形成領域と文字高さ５００μｍ以下である微小文字を有する微小文字形成領域が形成されてなり、
かつ微小文字が複数の文字からなり、複数の文字がランダム配置され、
微小文字形成領域が少なくとも面積２５ｍｍ２以上であり、
微小文字形成領域と情報形成領域が重なっており、
オーバーシートの情報形成領域及び微小文字形成領域が形成された面と基材が貼り合わされてなることを特徴とする情報媒体。
【請求項２】
前記微小文字が複数の文字高さの異なる文字からなることを特徴とする請求項１に記載の情報媒体。
【請求項３】
さらに、微小文字が形成された領域に、ドット径が５００μｍ以下の点模様を備えることを特徴とする請求項１または２に記載の情報媒体。
【請求項４】
さらに、オーバーシートの微小文字が形成された面に、文字高さが５００〜１０００μｍの範囲内である第二微小文字を備えることを特徴とする請求項１〜３のいずれかに記載の情報媒体。
【請求項５】
さらに、オーバーシートの微小文字が形成された面に、線幅が０．０１〜０．１ｍｍの範囲内である線からなる彩文を備えることを特徴とする請求項１〜４のいずれかに記載の情報媒体。
【請求項６】
さらに、オーバーシートの微小文字が形成された面に、ドット径が５００μｍ以下の網点からなる背景模様を備えることを特徴とする請求項１〜５のいずれかに記載の情報媒体。
【請求項７】
オーバーシートの一方の面に、情報を有する情報形成領域と文字高さ５００μｍ以下である微小文字を有する微小文字形成領域を重ねて形成し、
情報形成領域及び微小文字形成領域が形成された面と基材を貼りあわせることを特徴とする情報媒体の製造方法であって、
微小文字が複数の文字からなり、複数の文字がランダム配置され、微小文字形成領域が少なくとも面積２５ｍｍ２以上であることを特徴とする情報媒体の製造方法。
【発明の詳細な説明】
【技術分野】
【０００１】
ＩＤカードや有価証券等の偽造防止技術として用いられる微小文字（マイクロ文字）技術に関する。
【背景技術】
【０００２】
従来、紙幣や株券、商品券などの有価証券類の情報媒体の偽造防止手段としてマイクロ文字印刷が用いられている（特許文献１、２、３参照）。
マイクロ文字は、文字高さ１ｍｍ以下程度の肉眼では判別が困難であるが、拡大鏡等により確認することができる技術である。
【０００３】
マイクロ文字は、一般的には紙を主体とした媒体上に印刷法により形成される。そしてマイクロ文字は、サイズ（文字高さ）が小さくなればなるほど肉眼での判別が困難になるため、偽造防止効果としては高いものとなる。
しかし、紙基材等に印刷して設ける場合、アンカー層を形成したとしても、マイクロ文字が小さくなればなるほど基材の凹凸の影響を受けて拡大しても鮮明に認識しづらくなる、また折れや曲げなどの経時劣化により文字の判別が困難になる、ということがある。
特に文字高さが５００μｍ以下、特に２５０μｍ以下ぐらいになると影響が大きくなる傾向にある。
【先行技術文献】
【特許文献】
【０００４】
【特許文献１】特開２００３−１１２４８７号公報
【特許文献２】特許第３６８９７８４号公報
【特許文献２】特許第３８１４６９１号公報
【発明の概要】
【発明が解決しようとする課題】
【０００５】
本発明では、極小サイズのマイクロ文字を印刷した情報媒体において、基材の影響、経時変化の影響を受けにくいものとすることを課題とする。
【課題を解決するための手段】
【０００６】
本発明は、基材と、基材に貼り合わされたオーバーシートとを備えた情報媒体であって、オーバーシートの一方の面に、情報を有する情報形成領域と文字高さ５００μｍ以下である微小文字を有する微小文字形成領域が形成されてなり、オーバーシートの情報形成領域及び微小文字形成領域が形成された面と基材が貼り合わされてなることを特徴とする情報媒体とする。
【０００７】
また、微小文字が複数の文字からなり、複数の文字がランダム配置されてなる。
【０００８】
また、微小文字形成領域が少なくとも面積２５ｍｍ２以上であることを特徴とする。
【０００９】
また、微小文字が複数の文字高さの異なる文字からなることを特徴とする。
【００１０】
さらに、微小文字が形成された領域に、ドット径が５００μｍ以下の点模様を備えることを特徴とする。
【００１１】
さらに、オーバーシートの微小文字が形成された面に、文字高さが５００〜１０００μｍの範囲内である第二微小文字を備えることを特徴とする。
【００１２】
さらに、オーバーシートの微小文字が形成された面に、線幅が０．０１〜０．１ｍｍの範囲内である線からなる彩文を備えることを特徴とする。
【００１３】
さらに、オーバーシートの微小文字が形成された面に、ドット径が５００μｍ以下の網点からなる背景模様を備えることを特徴とする。
【００１４】
オーバーシートの一方の面に、情報を有する情報形成領域と文字高さ５００μｍ以下である微小文字を有する微小文字形成領域を形成し、情報形成領域及び微小文字形成領域が形成された面と基材を貼りあわせることを特徴とする情報媒体の製造方法とする。
【発明の効果】
【００１５】
本発明によれば、極小サイズのマイクロ文字を印刷した情報媒体において、基材の影響、経時変化の影響を受けにくいものとすることが可能となる。
【図面の簡単な説明】
【００１６】
【図１】本発明の情報媒体の一例を示す概略図である。
【図２】本発明の情報媒体の一例を示す概略図である。
【図３】本発明の情報媒体の一例を示す概略図である。
【図４】本発明の情報媒体の一例を示す断面図である。
【図５】本発明の極微小文字の一例を示す説明図である。
【発明を実施するための形態】
【００１７】
図１、２、３に本発明の情報媒体の一例を示す概略図を、図４に断面図を示す。
図１、４において、情報媒体１は、情報２を有する情報形成領域と文字高さ５００μｍ以下である極微小文字（マイクロ文字）４が形成された極微小文字形成領域（マイクロ文字形成領域）３を有する。
情報２及び文字高さ５００μｍ以下である極微小文字（マイクロ文字）４は、オーバーシート１１に形成され、その後、情報２と極微小文字（マイクロ文字）４が形成された面（情報形成領域と極微小文字形成領域が形成された面）と基材が向き合うようにして、基材１０と貼りあわされる。
マイクロ文字は、小さくなればなるほど、基材の凹凸の影響を受けたり、形成後の曲げや擦れなどで部分的に文字が欠落したりすることがあるが、平滑性の高いオーバーシートに形成してマイクロ文字形成面をカードに貼りあわせることで、オーバーシートが保護層の役割も果たし、前述のような問題が起きなくなる。
【００１８】
本発明の情報媒体は、ＩＤカードなどのカードや、紙幣、有価証券、証明書、パスポートや通帳等の冊子類等などがあげられる。
基材１０としては、前述のような情報媒体に用いられる基材を使用することができる。
例えばカード基材や、紙幣、有価証券、証明書に用いられる用紙基材などである。
このようなものとして例えば、ポリエチレンテレフタレート樹脂、結晶性又は非晶性ポリエステル系樹脂、ポリオレフィン系樹脂、塩化ビニール系樹脂、ポリカーボネート系樹脂など樹脂製の基材や上質紙、板紙、洋紙などの紙製の基材を用いることができる。またこれらの基材は単層、複層のいずれでも構わない。
基材の厚みは情報媒体に応じて任意に設定できる。
【００１９】
カードとしては、単なるカードの他に、接触式ＩＣカード、非接触式ＩＣカード又は接触非接触兼用ＩＣカード（デュアルＩＣカード）などのＩＣカードを用いることができる。これらのＩＣカードの構造は公知のものを用いることができる。また、磁気層を形成した磁気カードとして用いることもできる。なお、オーバーシートはＩＣカード、磁気カードの表面に貼りあわされる。また、カードとする場合は、カード基材の表裏に情報２と極微小文字（マイクロ文字）４が形成されたオーバーシートを貼りあわせてもよい。
パスポートや通帳等の冊子類としては、表紙と本紙からなるものを用いることができる。
この場合、表紙や本紙が基材となり、オーバーシートは、表紙の表面や裏面の見返し、本紙の中の任意のページに貼りあわせることができる。
【００２０】
オーバーシートとしては、樹脂フィルムからなるシートを用いることができる。樹脂フィルムは耐久性の高い保護層として機能すると共に、紙等に比べ平滑性が高いためマイクロ文字を設けるのに適している。特に耐久性、耐擦傷性等の点で結晶性樹脂を含む樹脂フィルムを用いることが好ましい。
このような樹脂フィルムとしては、二軸延伸処理を施したポリエチレンテレフタレートフィルムやナイロンやポリプロピレンなどがあげられる。
オーバーシートの厚みは１〜１０μｍの範囲内が好ましい。
【００２１】
本発明の情報媒体は、基材と情報及び極微小文字（マイクロ文字）４が形成されたオーバーシートの貼りあわせは、接着又は粘着剤を用いて貼りあわせたり、熱融着可能な材料を用いている場合は熱ラミネートにより貼りあわせることができる。
【００２２】
前述したようにオーバーシートの一方の面には、情報２と極微小文字４を形成した極微小文字形成領域３を形成してなる。
情報２と極微小文字４は、印刷により形成することができる。印刷法としては、オフセット印刷、グラビア印刷、インクジェット印刷、スクリーン印刷等、公知の印刷方法を用いることができる。
インキとしては、顔料又は染料に溶剤と適宜樹脂バインダー、添加剤を加えた公知のインキを用いることができる。
【００２３】
情報２としては、文字、記号等からなり、ＩＤカードの場合、ＩＤナンバー、氏名、住所、所属など、パスポートの場合、パスポートナンバー、国籍、住所、氏名など、各種証明書類であれば証明書類に必要な事項、紙幣であれば金額等を用いることができ、各種書類、カードに適した情報を用いることができる。
【００２４】
極微小文字（マイクロ文字）４は、文字高さが５００μｍ以下のものを用いる。５００μｍ以下であれば、肉眼では形成された文字の判別が困難である上に、文字であること自体の認識も困難になるため、偽造防止効果が高まる。
前述のようにマイクロ文字は小さくなればなるほど偽造が困難となるが、基材や使用状況の影響を受けやすいという問題がある。そこで本発明のようにオーバーシート上に形成することでこのような影響を受けにくくすることができる。なお、文字高さは、図５に示すように、文字の枠の高さを示す。
極微小文字（マイクロ文字）４は、真偽を判断できるものであれば特に制限するものではなく、数字、英字、記号、漢字、ひらがな、カタカナ、マーク、その他の文字を用いることができる。
また、極微小文字（マイクロ文字）４は、ベタの背景印刷に対し、抜き文字として形成してもよい。
【００２５】
極微小文字（マイクロ文字）４は、複数の文字をランダムに配置することが好ましい。規則的な配置にすると、拡大鏡、顕微鏡などで一部を拡大して文字の配列を確認して不正に複製し、極微小文字形成領域３に不正に複製した極微小文字（マイクロ文字）４を規則的に配置するという偽造が可能となってしまう。
ランダムに配置することで、偽造しようとする者は、極微小文字形成領域３の全ての領域を拡大して形成された極微小文字（マイクロ文字）４を確認する必要があるため、膨大な労力がかかることになり、偽造のハードルをあげることが可能となる。
【００２６】
そのため、極微小文字形成領域３は一定の面積以上設けることが好ましく、例えば２５ｍｍ２以上の面積を有する領域に形成することが好ましい。一般的な５〜１０倍程度の拡大鏡は面積２〜４ｍｍ２程度のものが多く、２５ｍｍ２以上あれば偽造しようとする者は、相当の回数、極微小文字形成領域３を拡大して形成されている極微小文字（マイクロ文字）４を確認する必要がある。そのため、２５ｍｍ２以上とすることで、偽造のハードルをあげることが可能となる。また機械的にスキャンされることを考慮すると、１００ｍｍ２以上であるとより好ましく、さらには２００ｍｍ２以上であると好ましい。さらに、機械的なスキャンのハードルを防ぐために、極微小文字形成領域３は四角などの矩形ではなく、外周に曲線を含む複雑な形状であることが好ましい。
【００２７】
また、極微小文字（マイクロ文字）４は、文字高さの異なる複数の文字を用いることができる。このようにすることで、より複雑になるため、偽造が困難となる。
さらに、極微小文字（マイクロ文字）４は、角度の異なる文字や、元となる文字に対し点対称、線対称となる反転文字を用いることができる。このようにすることで、より複雑になるため、偽造が困難となる。
また、用いる複数の極微小文字（マイクロ文字）４は、意味を有する複数の文字をランダム配置させることもできる。このようにすることで、正式な配置と詳細に比較しない簡易な判定でも用いられている文字から対象物の真偽を判定することも可能となる。
【００２８】
また、極微小文字形成領域３内に、ドット径が５００μｍ以下の点模様を備えてもよい。極微小文字（マイクロ文字）４とサイズの近いドットからなる点模様を形成することでより複雑で偽造困難とすることが可能となる。
【００２９】
さらに。オーバーシートの極微小文字（マイクロ文字）４が形成された面に、文字高さが５００〜１０００μｍの範囲内である第二微小文字（第二マイクロ文字）を設けてもよい。
この範囲であれば、マイクロ文字が形成されていると認識される確率が高く、同じ面に形成されている極微小である極微小文字（マイクロ文字）４は、第二微小文字（第二マイクロ文字）との比較により目立たなくなり、その結果文字ではなく背景として認識されやすくなり、偽造がされにくくなる確率が高まる。
【００３０】
また、オーバーシートの極微小文字（マイクロ文字）４が形成された面に、線幅が０．０１〜０．１ｍｍの範囲内である線からなる彩文や、ドット径が５００μｍ以下の網点からなる背景模様を備えてもよい。
極微小文字（マイクロ文字）４と同じ面に、彩文や背景模様等を設けることで、極微小文字（マイクロ文字）４が目立たなくなり、偽造がされにくくなる確率が高まる。
【００３１】
また、本発明では、さらに絵柄等を設けてもよい。絵柄はオーバーシートの極微小文字（マイクロ文字）４が形成された面と同じ面に形成することができ、適宜公知の印刷法を用いて形成することができる。
また、極微小文字形成領域と情報形成領域を重ねてもよい。重ねることで極微小文字形成領域が情報の背景として認識されやすくなり、偽造防止効果が高まる。
【符号の説明】
【００３２】
１・・・情報媒体
２・・・情報
３・・・極微小文字形成領域
４・・・極微小文字
５・・・微小文字形成領域
６・・・彩文形成領域
１０・・基材
１１・・オーバーシート
【図１】
0006657620.tif 000002
【図２】
0006657620.tif 000003
【図３】
0006657620.tif 000004
【図４】
0006657620.tif 000005
【図５】
0006657620.tif 000006